(57)【要約】【課題】部品点数を削減してコストダウンを図ると共に、装置の小型化を図る。【解決手段】リモコンからの信号を受信する受光部２と装置の状態を発光により示すＬＥＤ３にそれぞれ設けられていたカバーを単一とし、単一とした受光・ＬＥＤカバー６の外部側端面ａにはローレットを形成し、内部側端部は斜面ｂで形成されるようにし、前記ＬＥＤ３は前記斜面ｂの内部の一点から前記受光・ＬＥＤカバー６の外部側端面ａと平行に引いた半直線上に設けるようにした。【選択図】図１
2004260529.tif 000002
【特許請求の範囲】
【請求項１】
リモコンから送信された信号を受信する受光部と前記信号を通過させるカバーが対向し、
前記カバーの外部側端面と装置本体の外面とが略同一平面を形成するように設けられ、
前記カバーの前記受光部側端部は斜面で形成されており、
発光により装置本体の状態を表すＬＥＤが前記斜面の内側の一点から前記カバーの外部側端面と略平行に引いた半直線上に設けられ、
前記ＬＥＤによる発光が前記斜面に反射して前記カバーを透過することを特徴とするリモコン受信装置。
【請求項２】
リモコンから送信された信号を通過させカバーの外部側端面が前記装置本体の外面と略同一平面を形成するように設けられ、
前記カバーの前記受光部側端部は少なくとも２つ斜面を有する尖状となっており、
前記信号を受信する受光部は第一の斜面の内側の一点から前記カバーの外部側端面と平行に引いた半直線上に設けられ、
発光により装置本体の状態を表すＬＥＤは第二の斜面の内側の一点から前記カバーの外部側端面と平行に引いた半直線上に設けられ、
前記ＬＥＤによる発光が前記第二の斜面に反射して前記カバーを透過することを特徴とするリモコン受信装置。
【請求項３】
前記カバーの外部側端面にはローレットが形成されていることを特徴とする請求項１または２に記載のリモコン受信装置。
【発明の詳細な説明】
【０００１】
【発明が属する技術分野】
本発明は、リモコン受信装置が発光ダイオード表示器（以下、「ＬＥＤインジケータ」という。）を備えている場合において、部品点数削減、コストダウンを図る技術に関する。
【０００２】
【従来の技術】
例えばテレビ等に代表されるＬＥＤインジケータを備え、リモコンからの信号を受信可能な装置においては、図３に示すように装置本体７にリモコン８の信号を受信するリモコン受光部９と、本体の状態を表示するＬＥＤインジケータ１０を備えているのが一般的である。ＬＥＤインジケータ１０は、装置本体７が電源投入状態にあるのかスタンバイ状態にあるのかをＬＥＤの発光色の違いにより示すものである。図３におけるリモコン受光部９とＬＥＤインジケータ１０の構造を図４に示す。
【０００３】
図４に示すようにリモコンからの信号を受信する受光部２と異なる色を発光するＬＥＤ３は別個に設けられ、受光部２の対面に受光カバー４、ＬＥＤ３の対面にＬＥＤカバー５が装置本体７のキャビネット１の外面とそれぞれのカバーの外部側端面が同一面を形成するように設けられている。受光部２は受光カバー４を通して外部のリモコンからの信号を受信する。ＬＥＤ３はＬＥＤカバー５を透過して外部に発光する。
【０００４】
上記のように、一般的には受光部２とＬＥＤ３に対してそれぞれにカバーが設けられているが、これらのカバーを一体成形したものもある（特許文献１参照）。該文献には、受光部２とＬＥＤ３が図４に示すように並列して設けられている場合に、受光カバー４からＬＥＤカバー５の範囲を全て網羅する大きめのカバーを用いて受光部２とＬＥＤ３の両方をカバーすることにより、部品点数を減らし、組立工程を低減する技術が開示されている。
【０００５】
【特許文献１】
特開平９−４１３３７４号  公報
【０００６】
【発明が解決しようとする課題】
上述したように、受光部２とＬＥＤ３のカバーはそれぞれ別個に設けられているのが一般的であるので、各々のカバーを別個に製造する必要がある。また、両方のカバーの一端面を外部に露出させておく必要がある。上記特許文献１で開示されているカバーは単一であるが、並列に設けられた受光部２とＬＥＤ３にわたる範囲を網羅するようにしなければならないので、部品の大型化となり、部品点数の削減、組立工程の低減できるが、コストダウン、装置の小型化という点で十分ではない。
【０００７】
【課題を解決するための手段】
上記課題を解決するために、請求項１に記載のリモコン受信装置は、リモコンから送信された信号を受信する受光部と前記信号を通過させるカバーが対向し、前記カバーの外部側端面と装置本体の外面とが略同一平面を形成するように設けられ、前記カバーの前記受光部側端部は斜面で形成されており、発光により装置本体の状態を表すＬＥＤが前記斜面の内側の一点から前記カバーの外部側端面と略平行に引いた半直線上に設けられ、前記ＬＥＤによる発光が前記斜面に反射して前記カバーを透過することを特徴としている。
【０００８】
また、請求項２に記載のリモコン受信装置は、リモコンから送信された信号を通過させカバーの外部側端面が前記装置本体の外面と略同一平面を形成するように設けられ、前記カバーの前記受光部側端部は少なくとも２つ斜面を有する尖状となっており、前記信号を受信する受光部は第一の斜面の内側の一点から前記カバーの外部側端面と平行に引いた半直線上に設けられ、発光により装置本体の状態を表すＬＥＤは第二の斜面の内側の一点から前記カバーの外部側端面と平行に引いた半直線上に設けられ、前記ＬＥＤによる発光が前記第二の斜面に反射して前記カバーを透過することを特徴としている。
【０００９】
上記の構成によれば、リモコンからの信号を受信する受光部に対応するカバーと、本体状態を示すために発光するＬＥＤに対応するカバーとを一体的、しかも小型に成形できるので、部品点数が削減できてコストダウンが可能となるばかりでなく、装置の小型化も可能となる。
【００１０】
また、請求項３に記載のリモコン受信装置は、前記カバーの外部側端面にはローレットが形成されていることを特徴とする。
【００１１】
上記の構成によれば、リモコンからの信号が受光部に到達し易くなり、これにより信号の受光範囲が広がっている。
【００１２】
【発明の実施の形態】
本発明に係る第１の実施例を図１に示す。なお、図４と同一の部品は図４と同じ記号を用いている。本実施例における構成では、図４と同様にキャビネット１、受光部２、ＬＥＤ３が設けられている。本実施例では、従来用いられていた受光カバー４とＬＥＤカバー５の両方を兼用する受光・ＬＥＤカバー６を受光部２の対面にキャビネット１の外面と受光・ＬＥＤカバー６の外部側端面ａが同一面を形成するように設けられている。この受光・ＬＥＤカバー６の外部側端面ａにはローレットが形成され、外部からの信号を拡散するようになっている。また受光・ＬＥＤカバー６の内部側端部は、斜面ｂで形成されている。本実施例におけるＬＥＤ３は受光・ＬＥＤカバー６の斜面ｂの内側の一点から受光・ＬＥＤカバー６の外部側端面ａと平行に引いた半直線上に設けられる。
【００１３】
上記のように受光・ＬＥＤカバー６の外部側端面ａにローレットを形成しているのは、リモコンからの信号を受光部２に到達し易くするためであり、これにより信号の受光範囲が広がっている。
【００１４】
なお、リモコンから信号を通過させることとＬＥＤを透過させることはアクリル、ＡＳといった透明度の高い樹脂を用いればよい。
【００１５】
このような構成では、外部のリモコンから本体に向けて信号を送信すると、信号は受光・ＬＥＤカバー６の外部側端面ａに入力されるが、該端面ａはローレットが形成されているので、信号は拡散され、受光・ＬＥＤカバー６の内部壁を反射しながら内部側へと進み受光部２に到達する。一方、ＬＥＤ３から発せられる光源は、受光・ＬＥＤカバー６の内部側の斜面ｂに到達したとき斜面ｂに反射して受光・ＬＥＤカバー６の内部を通り、受光・ＬＥＤカバー６の外部側端面ａより外部へ到達する。
【００１６】
斜面ｂにより形成されるカバーの鋭部ｄは４５°であることが望ましいが、ＬＥＤの発光を受光・ＬＥＤカバー６の外部側端面ａ方向に導き得る角度であれば何度であって良い。
【００１７】
以上のように、受光部２とＬＥＤ３のカバーが単一で済むので、部品点数を削減、コストダウンと共に装置の小型化が可能となる。なお斜面ｂとＬＥＤ３とが図１に示す一点鎖線を基準として対象に、上側に備えられていてもよい。
【００１８】
本発明に係る第２の実施例を図２に示す。本実施例における構成では、第１の実施例と同様にキャビネット１に受光カバー４とＬＥＤカバー５の両方を兼用する受光・ＬＥＤカバー６’を備えており、受光・ＬＥＤカバー６’の外部側端面ａ’にはローレットが形成されている。本実施例では第１の実施例と異なり、受光・ＬＥＤカバー６’の内部側端部が２つの斜面ｂ’、ｃ’を有する尖状となっており、受光部２は一方の斜面ｃ’の内側の一点から受光部・ＬＥＤカバー６’の外部側端面ａ’と平行に引いた半直線上に設けられ、ＬＥＤ３は他方の斜面ｂ’の内側の一点から受光部・ＬＥＤカバー６’の外部側端面ａ’と平行に引いた半直線上に設けられる。すなわち、受光部２とＬＥＤ３はほぼ対面した状態にある。
【００１９】
このような構成では、外部のリモコンから本体に向けて信号を送信すると、信号は受光・ＬＥＤカバー６’の外部側端面ａ’に入力されるが、該端面ａ’はローレットが形成されているので、信号は拡散され、受光・ＬＥＤカバー６’の内部壁を反射しながら内部側へと進み受光・ＬＥＤカバー６’の尖状の端部に到達する。ここで、信号は斜面ｂ’、斜面ｃ’の両方に反射して受光部２、ＬＥＤ３のそれぞれに到達するが、この信号を受信することができる受光部２のみで信号を受信することになる。一方、ＬＥＤ３から発せられる光源は、受光・ＬＥＤカバー６’の内部側の斜面ｂ’に到達したとき斜面ｂ’に反射して受光・ＬＥＤカバー６’の内部を通り、受光・ＬＥＤカバー６の外部側端面ａより外部へ到達する。
【００２０】
以上のように、受光部２とＬＥＤ３のカバーが単一で済むので、部品点数を削減、コストダウンと共に装置の小型化が可能となる。なお受光部２とＬＥＤ３とが図２に示す一点鎖線を基準として対象に備えられていてもよい。
【００２１】
上記では受光・ＬＥＤカバー６’の内部側の斜面が２つの場合を示したが、例えば斜面が４面を有する等複数の斜面をように形成しても良い。この場合は、受光部２、ＬＥＤ３以外のカバーも兼用できることとなり利用範囲が広がる。
【００２２】
【発明の効果】
上述した通り本発明によれば、部品点数が削減でき、製造過程が簡略化できるのでコストダウンが可能となるばかりでなく、装置の小型化も可能となる。
【図面の簡単な説明】
【図１】第１の実施例の構造図
【図２】第２の実施例の構造図
【図３】一般的なＬＥＤインジケータを備えたリモコン受信装置の概観図
【図４】従来のリモコン受光部とＬＥＤインジケータの構造図
【符号の説明】
１  キャビネット
２  受光部
３  ＬＥＤ
４  受光カバー
５  ＬＥＤカバー
６、６’  受光・ＬＥＤカバー
７  リモコン受信装置本体
８  リモコン
９  リモコン受光部
１０  ＬＥＤインジケータ
ａ、ａ’  受光・ＬＥＤカバーの外部側端面
ｂ、ｂ’、ｃ’  受光・ＬＥＤカバーの内部側端部の斜面
【図１】
2004260529.tif 000003
【図２】
2004260529.tif 000004
【図３】
2004260529.tif 000005
【図４】
2004260529.tif 000006